(57)【特許請求の範囲】
【請求項１】
和紙、及び／又は、通気性を保ちながら防護すべき対象の微粒子を通さない又は防護すべき若しくは防護が期待される大きさ以上の微粒子を通さない化学繊維シート並びに／若しくは不織布、を用いた複数のシートが張込まれた本体であって、使用者の髪及び目及び口を含む頭部を覆うため前記本体と、
使用者の両目に対応する前記本体の前面に形成された目開口部と、
前記目開口部を閉じるように設けられた透過部と、
使用者の両耳に対応する前記本体の両側面に形成された耳開口部と、
前記耳開口部の周縁に沿って、ひだ状部分が形成され、弾性伸縮部材を有し、前記耳開口部から前記本体の外側に出る使用者の耳の周囲を塞ぐための耳周り弾性伸縮部と、
使用者の首に対応する前記本体の下側に形成された首開口部と、
前記首開口部に沿って、ひだ状部分が形成され、弾性伸縮部材又は紐状部材を有し、首の周囲を塞ぐための首周り伸縮部と、
を備えた頭巾。
【請求項２】
請求項１に記載の頭巾において、
前記耳周り弾性伸縮部は、前記本体の前記耳開口部の周縁の和紙又は前記化学繊維シート又は前記不織布により覆われ又は巻き込まれた前記弾性伸縮部材を有し、前記本体の和紙又は前記化学繊維シート又は前記不織布と一体的な、ギャザー又はプリーツ又はスリットを含むひだ状部分を有すること、
又は、
前記耳周り弾性伸縮部は、前記本体の前記耳開口部の周縁の和紙又は前記化学繊維シート又は前記不織布に、接着・接合若しくは縫い合わせられ若しくは縫いこまれた前記弾性伸縮部材を有し、本体の和紙又は前記化学繊維シート又は前記不織布と一体的な、ギャザー又はプリーツ又はスリットを含むひだ状部分を有すること
を特徴とする頭巾。
【請求項３】
請求項１に記載の頭巾において、
前記耳周り弾性伸縮部は、前記耳開口部に沿って接合又は接着され、ギャザー又はプリーツ又はスリットを含むひだ状部分を有するシート間に弾性伸縮部材が接着又は接合された弾性伸縮シートを有することを特徴とする頭巾。
【請求項４】
請求項１乃至３のいずれかに記載の頭巾において、
前記本体は、複数の種類又はタイプ又は色の和紙及び／又は前記化学繊維シート及び／又は前記不織布が用られたことを特徴とする頭巾。
【請求項５】
請求項１乃至４のいずれかに記載の頭巾において、
さらに、首筋を覆うように、又は、首筋と背若しくは胸若しくは肩とを覆うように、前記本体の和紙又は前記化学繊維シート又は前記不織布を延長するスカート部、又は、前記本体の和紙又は前記化学繊維シート又は前記不織布と別に形成されたスカート部を備えたことを特徴とする頭巾。
【請求項６】
請求項１乃至５のいずれかに記載の頭巾において、
前記首周り伸縮部は、前記首開口部の周縁若しくは縁端、又は、前記首開口部の周縁若しくは縁端の付近の位置に設けられたことを特徴とする頭巾。
【請求項７】
請求項１乃至６のいずれかに記載の頭巾において、
前記首周り伸縮部は、首の回りを塞ぐための紐状部材及び／又は弾性伸縮部材を有することを特徴とする頭巾。
【請求項８】
請求項１乃至７のいずれかに記載の頭巾において、
耳周り弾性伸縮部及び／又は前記首周り伸縮部の前記弾性伸縮部材は、糸ゴム状、紐ゴム状、テープ状のゴムを用い、前記弾性伸縮部材を１本若しくは複数本用いることを特徴とする頭巾。
【請求項９】
請求項１乃至８のいずれかに記載の頭巾において、
前記本体の素材は、和紙であることを特徴とする頭巾。
【請求項１０】
髪及び目及び口を含む頭部を覆うための本体を、和紙、及び／又は、通気性を保ちながら防護すべき対象の微粒子を通さない又は防護すべき若しくは防護が期待される大きさ以上の微粒子を通さない化学繊維シート並びに／若しくは不織布、を用いた複数のシートの張り込みにより形成し、
目開口部を、使用者の両目に対応する前記本体の前面に形成し、
透過部を、前記目開口部を閉じるように設け、
耳開口部を、使用者の両耳に対応する前記本体の両側面に形成し、
前記耳開口部から前記本体の外側に出る使用者の耳の周囲を塞ぐための耳周り弾性伸縮部を、前記耳開口部の周縁に沿って、ひだ状部分を形成し、弾性伸縮部材を配設することにより、形成し、
首開口部を、使用者の首に対応する前記本体の下側に形成し、
首の周囲を塞ぐための首周り伸縮部を、前記首開口部に沿って、ひだ状部分を形成し、弾性伸縮部材又は紐状部材を配設することにより、形成する
ことを特徴とする頭巾の製造方法。
【発明の詳細な説明】
【技術分野】
【０００１】
本発明は、頭巾及び頭巾の製造方法に係り、特に、髪及び目及び口を覆い、花粉・塵・大気汚染物質・有害物質等の微粒子を防護するための頭巾及び頭巾の製造方法に関する。
【背景技術】
【０００２】
従来より、特許文献１には、「医薬品、化粧品、食品等を製造する工場や、半導体等を製造するクリーンルーム棟で使用する防護用頭巾」（段落０００１）が記載されている。
また、特許文献２には、「食品あるいは医薬品等の製造に際して、作業者の頭髪とか頭髪に付着した異物が飛散して製品中に混入することを防ぐための防護フード」（段落０００１）が記載されている。
【先行技術文献】
【特許文献】
【０００３】
【特許文献１】特許第４００７９７９号公報
【特許文献２】特許第３７５９２４５号公報
【発明の概要】
【発明が解決しようとする課題】
【０００４】
近年、花粉や、ＰＭ２．５・排気ガス・排煙等といった塵・大気汚染物質・有害物質等の微粒子対策が求められる。このような微粒子対策として、髪及び目及び口を覆い、花粉・塵・大気汚染物質・有害物質等の微粒子から使用者を防護するための、特に安価で使い捨て可能な頭巾が望まれている。しかしながら、現状では、必ずしも安価で有効なものは提供されているとはいえない。
【０００５】
本発明は、以上の点に鑑み、和紙及び／又は和紙と同等の微粒子防護特性を持つ化学繊維シート並びに／若しくは不織布を活用して髪及び目及び口を覆うことにより、花粉・塵・大気汚染物質・有害物質等の微粒子から使用者を防護するための、安価及び／又は使い捨て可能な頭巾及び頭巾の製造方法を提供することを目的とする。
【課題を解決するための手段】
【０００６】
本発明の第１の解決手段によると、
和紙及び／又は和紙と同等の微粒子防護特性を持つ化学繊維シート並びに／若しくは不織布を用いた複数のシートの張込みにより形成され、使用者の髪及び目及び口を含む頭部を覆うため本体と、
使用者の両目に対応する前記本体の前面に形成された目開口部と、
前記目開口部を閉じるように設けられた透過部と、
使用者の両耳に対応する前記本体の両側面に形成された耳開口部と、
前記耳開口部の周縁に沿って、ひだ状部分が形成され、弾性伸縮部材を有し、前記耳開口部から前記本体の外側に出る使用者の耳の周囲を塞ぐための耳周り弾性伸縮部と、
使用者の首に対応する前記本体の下側に形成された首開口部と、
前記首開口部に沿って、ひだ状部分が形成され、弾性伸縮部材又は紐状部材を有し、首の周囲を塞ぐための首周り伸縮部と、
を備えた頭巾が提供される。
【０００７】
本発明の第２の解決手段によると、
髪及び目及び口を含む頭部を覆うための本体を、和紙及び／又は和紙と同等の微粒子防護特性を持つ化学繊維シート並びに／若しくは不織布を用いた複数のシートの張り込みにより形成し、
目開口部を、使用者の両目に対応する前記本体の前面に形成し、
透過部を、前記目開口部を閉じるように設け、
耳開口部を、使用者の両耳に対応する前記本体の両側面に形成し、
前記耳開口部から前記本体の外側に出る使用者の耳の周囲を塞ぐための耳周り弾性伸縮部を、前記耳開口部の周縁に沿って、ひだ状部分を形成し、弾性伸縮部材を配設することにより、形成し、
首開口部を、使用者の首に対応する前記本体の下側に形成し、
首の周囲を塞ぐための首周り伸縮部を、前記首開口部に沿って、ひだ状部分を形成し、弾性伸縮部材又は紐状部材を配設することにより、形成する
ことを特徴とする頭巾の製造方法が提供される。
【発明の効果】
【０００８】
本発明によると、和紙及び／又は和紙と同等の微粒子防護特性を持つ化学繊維シート並びに／若しくは不織布を活用して髪及び目及び口を覆うことにより、花粉・塵・大気汚染物質・有害物質等の微粒子から使用者を防護するための、安価及び／又は使い捨て可能な頭巾及び頭巾の製造方法を提供することができる。
【図面の簡単な説明】
【０００９】
【図１】頭巾の構成図。
【図２】目開口部２及び首周り伸縮部４１の変形例について説明図。
【図３】目開口部２及び首開口部４の変形例についての説明図。
【図４】装着状態の説明図。
【図５】本体１の彩色及び形状のバリエーションの説明図。
【図６】本体１の和紙及び／又は化学繊維シート及び／又は不織布の張込み（貼込み）のバリエーションの説明図。
【発明を実施するための形態】
【００１０】
１．頭巾
図１に、頭巾の構成図を示す。
本実施の形態の頭巾は、例えば頭巾・頭部マスク・頭部ネット・頭部被覆体等と呼ばれるような、頭部を覆う又は頭部に被る様々な形態を含む。頭巾は、例えば、本体１、目開口部２、透過部２１、耳開口部３、耳周り弾性伸縮部３１、首開口部４、首周り伸縮部４１を備える。
【００１１】
本体１は、髪及び目及び口（又は、頭蓋及び顔面及び首）を含む頭部を覆う。本体１は、例えば、頭部の形状に裁断された複数のシート（セル）を、張込み（貼込み）等により接合・接着して、曲線上の接着・接合ラインにより曲面部を形成することで、丸みを持った立体空間を確保するように形成される（例えば、紙風船のような構造を参照してもよい）。
本体1の素材は、例えば和紙を用いることができる。和紙としては、例えば楮紙（美濃紙、石州紙等）等の各種類を用いることができる。ここで、和紙は、特に、空気を通すが、花粉・塵・大気汚染物質・有害物質等（例、ＰＭ２．５（微小粒子状物質）、超微小粒子、浮遊粒子物質、ＰＭ１０、排気ガス、排煙、埃、粉塵）の微粒子、不純物は通さないという特性を有する。この特性は、通気性を保ちながら、防護すべき対象の微粒子等を通さない、又は、防護すべき若しくは防護が期待される大きさ以上の微粒子等を通さないなどのように、微粒子防護特性と表現され得る。
本体1の素材は、和紙以外にも、上述のような和紙と同等の特性（微粒子防護特性）を持つ化学繊維シート又は不織布を用いてもよい。微粒子防護特性を持つ化学繊維シート又は不織布としては、和紙を模擬したものや和紙の代替品等を含むことができ、また、例えば、レーヨンペーパー（レーヨン紙）、ポリエステルやポリウレタンを含むシート等を用いることができるが、これらに限られない。化学繊維シート又は不織布は、通常、和紙より安価となりうる。
和紙、又は、微粒子防護特性を持つ化学繊維シート又は不織布は、原料・材料、厚さ・薄さ、漉き具合等を適宜選択することで、防護する対象の微粒子又は防護が期待される微粒子等の大きさ、種類、形状などに適宜対応させた頭巾を提供することができる。
【００１２】
上述のように、和紙、又は、微粒子防護特性を持つ化学繊維シート又は不織布は、他にも、例えば次の様な特性を持つ。
・加工が容易である。
・軽量である。
・紫外線カットが期待できる
【００１３】
目開口部２は、使用者（装着者）の両目を含む顔面に対応する本体１の前面に形成される。目開口部２には、透明（透過）シートや透明（透過）フィルム等による透過部２１が接合又は接着又は縫製等により設けられて、透過部２１により目開口部２が閉じられる。なお、目開口部２及び透過部２１の形状は、楕円、長方形、眼鏡型等適宜の形状とすることができる。また、透過部２１の色は、無色透明の他、例えばサングラスのように、グレー、茶、赤、青など、適宜の透明度（透過度）の色とすることができる。
【００１４】
耳開口部３は、使用者（装着者）の両耳に対応する本体１の両側面に形成される。耳開口部３の周縁に沿って耳周り弾性伸縮部３１が配設される。耳開口部３の周縁には、ギャザー又はプリーツ又はスリット等のひだ状部分が形成され、ゴム等の弾性伸縮部材を有する耳周り弾性伸縮部３１が、耳開口部３に沿って設けられる。使用者（装着者）は、耳開口部３から耳を本体１の外側に出るように装着し、耳周り弾性伸縮部３１により、耳の周囲（耳の付け根部分等）を塞ぐ（閉じる）ことで、花粉・塵等の微粒子が本体１内部に入ることを防ぐことができる。さらに、耳開口部３及び耳周り弾性伸縮部３１により、本体１の装着のずれ（上下左右の移動等）を防止することができる。
【００１５】
耳周り弾性伸縮部３１は、例えば、本体１の耳開口部３の周縁の和紙又は化学繊維シート又は不織布を用いて、ゴム等の弾性伸縮部材に覆うようにしたり、巻き込むようにして、本体１の和紙又は化学繊維シート又は不織布と一体的にギャザー又はプリーツ又はスリット等のひだ状部分を施すことにより、形成することでができる。また、耳周り弾性伸縮部３１は、本体１の耳開口部３の周縁の和紙又は化学繊維シート又は不織布に、ゴム等の弾性伸縮部材を接着・接合したり、縫い合わせたり、縫いこむようにして、本体の和紙又は化学繊維シート又は不織布と一体的にギャザー又はプリーツ又はスリット等のひだ状部分施すことにより、形成してもよい。
【００１６】
耳周り弾性伸縮部３１の他の例としては、本体１の和紙又は化学繊維シート又は不織布と別の弾性伸縮シート（ギャザーシート等）を、耳開口部３に沿って接合又は接着するようにしてもよい。弾性伸縮シートは、例えば、耳開口部３に沿って少なくとも２つのギャザー又はプリーツ又はスリット等のひだ状部分が施されたシート間に、ゴム等の弾性伸縮部材を接着又は接合することで形成することができる。シートの材料は、和紙、不織布、布等の天然素材、レーヨン、ビニール、ポリエチレン等の化学素材など、適宜のものを用いることができる。
【００１７】
なお、弾性伸縮部材は、糸ゴム状、紐ゴム状、テープ状等の適宜のゴム等を用いることができ、また、弾性伸縮部材は、１本用いても、複数本用いてもよい。また、ギャザー又はプリーツ又はスリット等のひだ状部分は、例えば、紙おむつで用いられているものと同様の構成を採用してもよい。
【００１８】
首開口部４は、使用者（装着者）の首に対応する本体１の下側（下縁）に形成される。首開口部４に沿って、ギャザー又はプリーツ又はスリット等のひだ状部分が形成され、ゴム等の弾性伸縮部材を有する首周り伸縮部４１が配設される。
首周り伸縮部４１の位置は、首開口部４の周縁又は縁端、周縁又は縁端から上方に離れた位置の周縁又は縁端の付近等の適宜の位置に設けることができる。首周り伸縮部４１により、首の周囲を塞ぐ（閉じる）ことで、花粉・塵等の微粒子が本体１内部に入ることを防ぐことができる。
なお、弾性伸縮部材は、糸ゴム状、紐ゴム状、テープ状等の適宜のゴム等を用いることができ、また、弾性伸縮部材は１本用いても、複数本用いてもよい。また、ギャザー又はプリーツ又はスリット等のひだ状部分は、例えば、紙おむつで用いられているものと同様の構成を採用してもよい。
【００１９】
図２に、目開口部２及び首周り伸縮部４１の変形例について説明図を示す。
首開口部４の首周り伸縮部４１は、弾性伸縮部材のかわりに、紐状部材４２を用いてもよい。紐状部材４２は、例えば、図２のように、紐を有し、紐を結んで首の周囲を塞ぐ（閉じる）ように構成したり、又は、紐と紐の留め具の組み合わせを有し、紐を留め具でとめて首の周囲を塞ぐ（閉じる）ように構成することができる。なお、首周り伸縮部４１は、弾性伸縮部材と紐状部材４２とを組み合わせてもよい。また、この例では、目開口部２及び透過部２１は、楕円形状であるが、円、長方形等の適宜の形状としてもよい。
【００２０】
図３に、目開口部２及び首開口部４の変形例についての説明図を示す。
図３のように、本体１は、首開口部４に、さらに首筋や、首筋と背若しくは胸若しくは肩まで覆うように延長するスカート部４３を有するようにしてもよい。なお、スカート部４３は、本体１と一体的に形成してもよいし、別に形成して本体１と接合・接着してもよい。また、この例では首周り伸縮部４１として弾性伸縮部材を用いているが、代わりに図２のような紐状部材４２を用いるようにしてもよい。なお、この首周り伸縮部４１も、弾性伸縮部材と紐状部材４２とを組み合わせてもよい。また、この例では、目開口部２及び透過部２１は、左右の各目に対応した２つの楕円形状を有するが、円、長方形等の適宜の形状の２つの部分としてもよい。
【００２１】
図４に、装着状態の説明図を示す。
図示のように、使用者（装着者）は頭巾を装着することができる。
【００２２】
また、本実施の形態の頭巾は、以下のような格別な効果・特性を奏する。
・通気性がよい
・髪、目、口を、花粉・塵・大気汚染物質・有害物質等（例、ＰＭ２．５（微小粒子状物質）、超微小粒子、浮遊粒子物質、ＰＭ１０、排気ガス、排煙、埃、粉塵）の微粒子、不純物から一体型にガードすること
・軽量であり、圧迫感がないこと
・耳開口部３に配置された耳周り弾性伸縮性部３１により、本体１がずれにくいこと
・本体１は、薄いシートで形成されるので、折り畳み可能（使用時に、例えば、紙風船のように中に空気をいれて、立体形状に膨らませて使用することができる。）
・携帯しやすい
・安価であり、使い捨て可能
・目鏡、サングラス、ゴーグル、マスク等を装着した上に、本実施の形態の頭巾を重ねて装着可能
・香り付け可能
・サイズフリーで提供可能
・彩色や模様、形状の多様化可能
【００２３】
図５に、本体１の彩色及び形状のバリエーションの説明図を示す。
本実施の形態の頭巾は、本体１の外側表面に色付け、柄付けをすることができ、カラフルな様々なデザインバリエーションを提供することができる。表面の柄はアート感覚で、各自で自由に彩色することも可能である。また、本体１は、形状にも様々なデザインバリエーションを提供することができる。
図４に示した本体１は、一例として、忍者模様に彩色したものである。
その他、図５（Ａ）は、スイカ、メロン等の果物模様、図５（Ｂ）は、流水や植物等をイメージした自然模様、また、図５（Ｃ）は、三日月、満月、などのマーク添付柄を、それぞれ示す。これらのデザインバリエーションは、一例であり、これらに限られない。
【００２４】
図６に、本体１の和紙及び／又は化学繊維シート及び／又は不織布の張込み（貼込み）のバリエーションの説明図を示す。（なお、「和紙及び／又は化学繊維シート及び／又は不織布」の表現は、「和紙」と「化学繊維シー」と「不織布」のうち、いずれかひとつ又はいずれかふたつ又は３つを意味する。）
本体１は、複数の和紙及び／又は化学繊維シート及び／又は不織布又はこれら両方が接合又は接着されて形成することができるので、ひとつの種類・タイプ・色の和紙及び／又は化学繊維シート及び／又は不織布で形成してもよいし、また、複数の種類・タイプ・色の和紙及び／又は化学繊維シート及び／又は不織布を用いて形成してもよい。例えば、ゴワゴワ感が強い厚めの和紙及び／又は化学繊維シート及び／又は不織布と、しっとり感が強い薄い和紙及び／又は化学繊維シート及び／又は不織布との組み合わせや交互配置等とすることもできる。この場合、厚めの和紙及び／又は化学繊維シート及び／又は不織布で、主に形を形成し、薄めの和紙及び／又は化学繊維シート及び／又は不織布で主に形状を頭の形状に馴染ませることができる。なお、本体１を形成する和紙及び／又は化学繊維シート及び／又は不織布としては、２種類に限らず、３種類以上の複数の種類・タイプ・色の和紙及び／又は化学繊維シート及び／又は不織布を用いてもよい。
本体１として、複数の種類・タイプの和紙及び／又は化学繊維シート及び／又は不織布を用いる場合、例えば図６（Ａ）のような紙風船型、図６（Ｂ）のようなドーナツ型又は提灯型、図６（Ｃ）のような市松模様配置、図６（Ｄ）のような螺旋型等に組み合わせることができる。なお、一例として、斜線部分は厚手の和紙又は化学繊維シート又は不織布、白い部分は薄手の和紙又は化学繊維シート又は不織布を示す。また、図示の本体１は、説明の都合上、目開口部２、耳開口部３、首開口部４等を省略した状態を示す。
【００２５】
２．頭巾の製造方法。
頭巾は、例えば、以下の工程により製造することができる。
・工程１：
髪及び目及び口を含む頭部を覆うための本体１を、和紙及び／又は化学繊維シート及び／又は不織布を用いた複数のシートの張り込みにより形成する。
・工程２：
目開口部２を、使用者の両目に対応する本体１の前面に形成する。透過部２１を、目開口部２を閉じるように、接合・接着・縫製等により設ける。
・工程３：
耳開口部３を、使用者の両耳に対応する本体１の両側面に形成する。耳開口部３から本体１の外側に出る使用者の耳の周囲を塞ぐための耳周り弾性伸縮部３１を、耳開口部３の周縁に沿って、ひだ状部分を形成し、弾性伸縮部材を配設することにより、形成する。
・工程４：
首開口部４を、使用者の首に対応する本体１の下側（下縁）に形成する。首の周囲を塞ぐための首周り伸縮部４１を、首開口部４に沿って、ひだ状部分を形成し、弾性伸縮部材又は紐状部材を配設することにより、形成する。さらに、首周り伸縮部４１の配設位置等により、図３に示したスカート部４２を形成する工程を含むようにしてもよい。
【００２６】
なお、工程２〜工程４の順序は適宜変更してもよい。また、「１．頭巾」で説明した変形例やバリエーションを形成するための工程を適宜含むようにしてもよい。
【符号の説明】
【００２７】
１    本体
２    目開口部
２１  透過部
３    耳開口部
３１  耳周り弾性伸縮部
４    首開口部
４１  首周り伸縮部
４２  紐状部材
４３  スカート部
【図１】
0005918819.tif 000002
【図２】
0005918819.tif 000003
【図３】
0005918819.tif 000004
【図４】
0005918819.tif 000005
【図５】
0005918819.tif 000006
【図６】
0005918819.tif 000007